(57)【要約】【課題】シートの厚みとピンの外径とを考慮してパネルに設けられた孔の径を決定することで、シートが弾性体でなくてもピンを抜け難くする。【解決手段】複数の光源からなる照明部と、照明部を収納する筐体と、筐体の開口面に取り付けられ、第１の径を有する複数の孔を備えた第１パネルと、第１パネルの上に配置されるシートと、シートの上に配置され、第１パネルの孔に対応してそれぞれ設けられた第２の径を有する複数の孔を備えた第２パネルと、第２パネルが備える孔に挿すことでシートを突き破り、対応する第１パネルの孔にシートの一部とともに嵌合し、それぞれ照明部からの光を透過する複数のピンとを含み、ピンのうち、第２パネルが備える孔及び第１パネルが備える孔に嵌合する部分の径をφ１とし、第２の径をφ２とし、第１の径をφ３とし、かつ、シートの厚みをｔとすると、φ１＜φ２＜φ３、２ｔ≦（φ３−φ１）≦５ｔが成り立つようにしたことを特徴とする光創作玩具が提供される。【選択図】図１
0003140861.tif 000002
【実用新案登録請求の範囲】
【請求項１】
複数の光源からなる照明部と、
前記照明部を収納する筐体と、
前記筐体の開口面に取り付けられ、第１の径を有する複数の孔を備えた第１パネルと、
前記第１パネルの上に配置されるシートと、
前記シートの上に配置され、前記第１パネルの孔に対応してそれぞれ設けられた第２の径を有する複数の孔を備えた第２パネルと、
前記第２パネルが備える孔に挿すことで前記シートを突き破り、対応する前記第１パネルの孔に該シートの一部とともに嵌合し、それぞれ前記照明部からの光を透過する複数のピンと
を含み、
前記ピンのうち、前記第２パネルが備える孔及び前記第１パネルが備える孔に嵌合する部分の径をφ１とし、前記第２の径をφ２とし、前記第１の径をφ３とし、かつ、前記シートの厚みをｔとすると、
φ１＜φ２＜φ３
２ｔ≦（φ３−φ１）≦５ｔ
が成り立つようにしたことを特徴とする光創作玩具。
【請求項２】
前記シートは遮光性を有したシートであることを特徴とする請求項１に記載の光創作玩具。
【請求項３】
前記筐体は、少なくとも１つの側面と底面とを有し、
前記側面に複数の光源が設けられており、
前記複数の光源からの光の少なくとも一部を、前記第１パネルが取り付けられる前記筐体の開口面に偏向するための偏向板を前記筐体内部に設けたことを特徴とする請求項１又は２に記載の光創作玩具。
【請求項４】
前記偏向板は、前記筐体の底面と平行になっている部分と、前記底面に対して傾斜している部分とを含み、前記傾斜している部分は、前記光源が配置された側面から遠ざかるにしたがって前記底面から離間して前記第２パネルに近づくように配置されていることを特徴とする請求項３に記載の光創作玩具。
【請求項５】
前記偏向板は、前記光源から所定距離以上離れた位置に設けられており、前記光源の近傍には設けられていないことを特徴とする請求項３又は４に記載の光創作玩具。
【請求項６】
一端が前記筐体の第１の側面に取り付けられ、他端が前記筐体の第２の側面に取り付けられた、前記第２パネルを下面から支持する１つ以上の支持部材を設けたことを特徴とする請求項１ないし５のいずれか１項に記載の光創作玩具。
【請求項７】
前記支持部材は、前記光源からの光の照射方向に沿って延在していることを特徴とする請求項６に記載の光創作玩具。
【請求項８】
前記複数の光源の発光量を所定の規則にしたがって制御する光量制御部をさらに含むことを特徴とする請求項１ないし７のいずれ１項に記載の光創作玩具。
【請求項９】
前記所定の規則は、前記複数の光源をその並び順にしたがって順番に発光させる規則と、前記複数の光源を同時に明滅させる規則と、前記複数の光源のそれぞれをランダムに明滅させる規則とのうち、少なくとも１つの規則を含むことを特徴とする請求項８に記載の光創作玩具。
【請求項１０】
前記光量制御部は、複数ある規則のうち所望の規則を選択するための選択部を有することを特徴とする請求項８又は９に記載の光創作玩具。
【請求項１１】
前記筐体には、前記第１パネル、前記シート及び前記第２パネルを該筐体に対してロックするロック機構が設けられていることを特徴とする請求項１ないし１０のいずれか１項に記載の光創作玩具。
【請求項１２】
前記筐体の少なくとも１つの側面には、前記第１パネル、前記シート及び前記第２パネルを該筐体から取り外す際に指を入れるための凹部が設けられていることを特徴とする請求項１ないし１１のいずれか１項に記載の光創作玩具。
【請求項１３】
前記第１パネルに前記シートおよび前記第２パネルを一体に保持するための保持部材をさらに有し、該保持部材により一体に保持した状態で前記第１パネル、前記シートおよび前記第２パネルを前記筐体から着脱可能としたことを特徴とする請求項１ないし１２のいずれか１項に記載の光創作玩具。
【請求項１４】
前記光源はＬＥＤであることを特徴とする請求項１ないし１３のいずれか１項に記載の光創作玩具。
【請求項１５】
前記複数のピンは、それぞれ色が付されていることを特徴とする請求項１ないし１４のいずれか１項に記載の光創作玩具。
【請求項１６】
前記偏向板のうち前記筐体の底面に対して傾斜している部分と、前記底面との間に生じるスペースに、電子回路基板又は電池の少なくとも一方を配置したことを請求項４に記載の光創作玩具。
【考案の詳細な説明】
【技術分野】
【０００１】
本考案は、例えば、光が透過する位置を選択することで文字、絵などを表現する光創作玩具に関する。
【背景技術】
【０００２】
従来、光創作玩具として、照明図案の創作玩具（特許文献１）、ネオンサイン玩具（特許文献２）、光表示パネル玩具（特許文献３）が提案されている。
【０００３】
特許文献１では、単一の電球をハウジング内部に設け、その前面に２つパネルを配置し、しかもパネル間に不透明シートが挿入される。パネルには多数の孔があいており、そこに栓を挿すと不透明シートが貫通し、栓を介して電球の光が外部に漏れる。特許文献２も特許文献１と同様のネオンサイン玩具を開示している。特許文献３によれば、栓に相当する透光部材を上下動を可能にしつつパネルに固定し、かつ、パネル間に配置されるシートを弾性とすることで、透光部材を押し下げるとシートに孔が生じそこから光が通過し、押し下げた透光部材を引っ張るとシートの孔が再びふさがり遮光されることが記載されている。
【特許文献１】特公昭４５−２１４５８号公報
【特許文献２】実公昭６１−４３９２号公報
【特許文献３】特許第３８６９３１３号公報
【考案の開示】
【考案が解決しようとする課題】
【０００４】
特許文献１ないし３によれば、バックライトは単一の電球により実現されているため、装置の全体を小型化又は薄型化することが難しい。また、特許文献１に記載の発明では、装置を傾けると透光用の栓（ピン）が抜け落ちてしまう恐れがあり、パネルを傾けて配置する必要があった。また、特許文献２では、シートをゴムやプラスチックなどの弾性体で形成することで、ピンの抜け落ちを防止している。しかし、シートは、紙など、より安価でかつ一般のプリンタなどでも印刷可能な素材であることが望ましい。なぜなら、シートにはピンにより表現したい図案の下絵が付与される必要があり、様々な下絵のシートを用意しなければ、ユーザに飽きられてしまうからである。なお、特許文献３に記載の発明では、シートに下絵を付与したり、シートを交換したりすることがそもそも前提とされていないといった欠点がある。
【０００５】
そこで、本考案は、このような課題および他の課題のうち、少なくとも１つを解決することを目的とする。なお、他の課題については明細書の全体を通して理解できよう。
【課題を解決するための手段】
【０００６】
本考案の第１の観点によれば、複数の光源からなる照明部と、照明部を収納する筐体と、筐体の開口面に取り付けられ、第１の径を有する複数の孔を備えた第１パネルと、第１パネルの上に配置されるシートと、シートの上に配置され、第１パネルの孔に対応してそれぞれ設けられた第２の径を有する複数の孔を備えた第２パネルと、第２パネルが備える孔に挿すことでシートを突き破り、対応する第１パネルの孔にシートの一部とともに嵌合し、それぞれ照明部からの光を透過する複数のピンとを含み、ピンのうち、第２パネルが備える孔及び第１パネルが備える孔に嵌合する部分の径をφ１とし、第２の径をφ２とし、第１の径をφ３とし、かつ、シートの厚みをｔとすると、φ１＜φ２＜φ３、２ｔ≦（φ３−φ１）≦５ｔが成り立つようにしたことを特徴とする光創作玩具が提供される。
【０００７】
本考案の第２の観点によれば、シートは遮光性を有したシートであることを特徴とする光創作玩具が提供される。
【０００８】
本考案の第３の観点によれば、筐体は、少なくとも１つの側面と底面とを有し、側面に複数の光源が設けられており、複数の光源からの光の少なくとも一部を、第１パネルが取り付けられる筐体の開口面に偏向するための偏向板を筐体内部に設けたことを特徴とする光創作玩具が提供される。
【０００９】
本考案の第４の観点によれば、偏向板は、筐体の底面と平行になっている部分と、底面に対して傾斜している部分とを含み、傾斜している部分は、光源が配置された側面から遠ざかるにしたがって底面から離間して第２パネルに近づくように配置されていることを特徴とする光創作玩具が提供される。
本考案の第５の観点によれば、偏向板は、光源から所定距離以上離れた位置に設けられており、光源の近傍には設けられていないことを特徴とする光創作玩具が提供される。
【００１０】
本考案の第６の観点によれば、一端が筐体の第１の側面に取り付けられ、他端が筐体の第２の側面に取り付けられ、第２パネルを下面から支持する１つ以上の支持部材を設けたことを特徴とする光創作玩具が提供される。
【００１１】
本考案の第７の観点によれば、支持部材は、光源からの光の照射方向に沿って延在していることを特徴とする光創作玩具が提供される。
【００１２】
本考案の第８の観点によれば、複数の光源の発光量を所定の規則にしたがって制御する光量制御部をさらに含むことを特徴とする光創作玩具が提供される。
【００１３】
本考案の第９の観点によれば、所定の規則は、複数の光源をその並び順にしたがって順番に発光させる規則と、複数の光源を同時に明滅させる規則と、複数の光源のそれぞれをランダムに明滅させる規則とのうち、少なくとも１つの規則を含むことを特徴とする光創作玩具が提供される。
【００１４】
本考案の第１０の観点によれば、光量制御部が、複数ある規則のうち所望の規則を選択するための選択部を有することを特徴とする光創作玩具が提供される。
【００１５】
本考案の第１１の観点によれば、筐体には、第１パネル、シート及び第２パネルを筐体に対してロックするロック機構が設けられていることを特徴とする光創作玩具が提供される。
【００１６】
本考案の第１２の観点によれば、筐体の少なくとも１つの側面には、第１パネル、シート及び第２パネルを筐体から取り外す際に指を入れるための凹部が設けられていることを特徴とする光創作玩具が提供される。
【００１７】
本考案の第１３の観点によれば、第１パネルにシートおよび第２パネルを一体に保持するための保持部材をさらに有し、この保持部材により一体に保持した状態で第１パネル、シートおよび第２パネルを筐体から着脱可能としたことを特徴とする光創作玩具が提供される。
【００１８】
本考案の第１４の観点によれば、光源がＬＥＤであることを特徴とする光創作玩具が提供される。
【００１９】
本考案の第１５の観点によれば、複数のピンが、それぞれ色が付されていることを特徴とする光創作玩具が提供される。
【００２０】
本考案の第１６の観点によれば、偏向板のうち筐体の底面に対して傾斜している部分と、底面との間に生じるスペースに、電子回路基板又は電池の少なくとも一方を配置したことを特徴とする光創作玩具が提供される。
【考案の効果】
【００２１】
本考案の第１の観点によれば、シートの厚みとピンの外径とを考慮してパネルに設けられた孔の径を決定することで、シートが弾性体でなくてもピンが抜け難くすることが可能となった。
【００２２】
第２の観点によれば、シートが遮光性を有しているため、パネルに挿したピンの部分がより光って見えるようになる。なお、シートの透光率がピンの透光率未満であるときに、シートは遮光性を有しているといえる。
【００２３】
第３の観点によれば、筐体の側面に光源が設けられているため、光創作玩具の外形を従来よりも薄くできる。なお、側面に設けると、光の量が不足しがちとなる。そこで、複数の光源と偏向板とを採用している。
【００２４】
第４の観点によれば、偏向板の配置を工夫することで、パネルの全面において略均一の光量を実現している。
【００２５】
第５の観点によれば、偏向板を光源の近傍にまで設けてしまうと、パネルに設けられた多数の孔のうち、光源に近い孔を透過する光が強くなってしまう。よって、光源の近傍には、偏向板を設けないようにした。なお、偏向板の反射率は、筐体の底面の反射率よりも高いことを前提としている。
【００２６】
第６の観点によれば、ピンを挿す際に生じるパネルの撓みを緩和することができる。光創作玩具の外形を薄くするには、パネル自体も薄くする必要があるが、パネルを薄くすれば撓みやすくなる。そこで、支持部材によって撓みを緩和している。支持部材を側面から側面へと渡すことで、支持部材の影がパネルの孔を遮ることを軽減できる。
【００２７】
第７の観点によれば、支持部材を光の照射方向を横切るように配置すると、支持部材の影がパネルの孔を遮りやすい。そのため、光源からの光の照射方向に沿って支持部材を配置することで、支持部材の影がパネルの孔を遮ることを軽減できる。
【００２８】
第８の観点によれば、光源の光を一定としたのでは、ピンにより表現した図案が平凡な印象を与えることも考えられる。よって、何らかの規則にしたがって光量に変化をつけることで、より印象的な図案を創作できよう。
【００２９】
第９の観点によれば、様々な規則を設けることで、観者を飽きさせないようにできよう。
【００３０】
第１０の観点によれば、複数の規則から所望の規則を選択できるため、創作した図案にマッチした照明を実現できよう。
【００３１】
第１１の観点によれば、第１パネル、シート及び第２パネルを筐体に対してロックするロック機構が設けられているため、これらを筐体から外すことが容易になり、取り付けたときもしっかりと固定することが可能となる。これは、図案の異なるシートに取り替えてピンによる図案の表現をやり直すことが容易となる。また、一度作成したピンによる図案をパネルに保持したまま、別のシートとパネルを筐体に取り付けて、新たに創作することが可能となる。ピンを挿したパネルは一種のアート作品であるため、そのまま崩さずに取っておきたい場合もあろう。その一方で、別の作品の創作をしたいこともあろう。よって、パネルやシートを交換できるようにすることは、ユーザの創作意欲をさらに掻き立てることになろう。
【００３２】
第１２の観点によれば、パネルやシートを交換するには、できるだけユーザが取り外しやすくなければならない。よって、パネルに指を掛けるための凹部を筐体に設けておくことが好ましいだろう。
【００３３】
第１３の観点によれば、第１パネル、シート及び第２パネルを一体として取り外すことができるため、ピンにより表現した作品を保持したまま、筐体から取り外しやすくなろう。
【００３４】
第１４の観点によれば、白熱球などは消費電力が多いだけでなく、小型化に不利である。また、白熱球が発する熱によって樹脂製の筐体が変形する恐れもある。これは、筐体を薄型化するとさらに顕著となる。よって、光源をＬＥＤとすることで、消費電力、小型化、熱による変形について改善することができる。
【００３５】
第１５の観点によれば、複数のピンに色付けがなされているため、例えば、絵画のような多色の作品も作成しやすくなる。
【００３６】
第１６の観点によれば、電子回路基板や電池などが光源からの光を遮蔽することを防止できる。
【考案を実施するための最良の形態】
【００３７】
図１は、実施形態に係る光創作玩具の斜視図である。光創作玩具１は、概ね直方体形状（箱型形状）をした筐体２の開口面にパネル部３がフタのように取り付けられた構造を有している。このパネル部３は後述するように複数のパネルとシートとが重ねられた構造をしており、これらの各パネルには多数の孔が設けられている。各孔は、透光性を有するピン４を挿すことができる程度の径（直径）を有している。なお、筐体２の内部には、複数の光源からなる照明部が設けられており、光源からの直接光や間接光がこの孔から漏洩する。各ピンには、それぞれ色が付されていることが好ましい。すなわち、色の異なるピンを適宜の孔に挿入することで、パネル部３の上に文字や絵柄などの図案を自由に創作することが可能となる。ピン４が挿されたパネル部３やピン４により表現された図案は、一種の作品である。
【００３８】
筐体２の１つの角（コーナー）には、筐体２からパネル部３を取り外す際に指を入れるための凹部５が設けられている。本考案に係る光創作玩具１は、ピン４による作品を保持したパネル部３を別のパネル部３に交換することで、パネル部３の上に形成された作品を壊すことなく保存でき、しかも新たな作品の創作を可能ならしめることが想定されている。また、複数の作品を用意し、気分に応じて作品を取り替えることで、光創作玩具１を別のイルミネーションとして楽しむことも想定されている。それゆえ、指を入れるための凹部５を設けることで、パネル部３を取り外しやすくしている。なお、凹部５は、筐体２が備える４つの側面のうちの少なくとも１つの側面に設けられていれば十分である。また、複数の凹部が設けられてもよい。
【００３９】
また、作品を創作中にパネル部３が外れること、光創作玩具１を移動させるときにパネル部３が脱落すること、光創作玩具１を絵画のように壁に飾っているときにパネル部３が脱落することを予防するために、パネル部３を筐体２に対してロックするロック機構６が設けられている。ロック機構６は、上方に移動するとパネル部３を筐体２に固定し、下方に移動するとパネル部３の固定を解除する。
【００４０】
筐体２の内部には照明部が設けられており、作品が完成した際に電源スイッチ７をＯＮにすることで、照明部を点灯させることができる。照明部に設けられた複数の光源（例：ＬＥＤ）の各発光量を所定の規則にしたがって変化させてもよい。すなわち、一定の発光量で点灯させるだけでなく、一定の周期で明暗を繰り返したり、複数の光源をその並び順に従って順番に発光させて光のウェーブを実現したり、各光源をランダムに点灯させたりするなど、複数の規則を設けることが望ましい。なお、モード選択スイッチ８は、この規則を切り替えるためのスイッチである。また、モード選択スイッチ８の近傍に、発光の変化のスピードを変更するスピード切換スイッチを設けても良い。スピード切換スイッチは、様々な公知の技術を用いて実現可能であり、用いる技術によって３段階等、段階的に変化させることもできるし、アナログ式にて無段階で変化させることも可能であろう。スピード切換スイッチを設けることにより、より多彩で自由度の高い演出が可能となる。
【００４１】
図２は、実施形態に係る光創作玩具の分解斜視図である。パネル部３は、下部フレーム２１、下部パネル２２、シート２３、上部パネル２４及び上部フレーム２５を有している。下部フレーム２１は、パネル部３の最下層に位置し、下部パネル２２を保持する。下部パネル２２は、筐体の開口面に取り付けられ、第１の径を有する複数の孔を備えた第１パネルの一例である。シート２３は、下部パネル２２の上に配置されるシートである。ピンから漏れる光を強調するために、シート２３は遮光性を有していることが望ましい。シート２３は、例えば、黒を基調とした紙である。もちろんシート２３は、プリンタで使用される白色の普通紙であってもよい。シート２３に作品の下絵が印刷されていれば、ピンを挿す位置の位置決めをしやすくなるからである。また、下絵をパーソナルコンピュータ上で作成し、それを普通紙で印刷しシート２３として用いるようにすれば、よりユーザは自由に作品を創作することができよう。
【００４２】
上部パネル２４は、シート２３の上に配置され、下部パネル２２の孔に対応してそれぞれ設けられた第２の径を有する複数の孔を備えた第２パネルの一例である。上部パネル２４が備える孔にピンを挿すことで、ピンがシート２３を突き破り、対応する下部パネル２２の孔に嵌合することになる。
【００４３】
上部フレーム２５は、断面が略Ｌ字をしている。上部フレーム２５は、下部フレーム２１に対して嵌合することで、下部パネル２２、シート２３及び上部パネル２４を一体に保持する保持部材として機能する。これにより、上部パネル２４、シート２３および下部パネル２２が一体に保持された状態で、パネル部３を筐体２から着脱することが可能となる。なお、上部フレーム２５と上部パネル２４は一体に構成されていてもよいし、また、下部フレーム２１と下部パネル２２とが一体に構成されていてもよい。
【００４４】
図３は、実施形態に係る上部パネルの下に配置されたシートの一例を示した図である。上部パネル２４の各孔を通じてシート２３上に印刷された下絵が見えるため、作品の創作者は、ピンの位置決めをしやすくなろう。
【００４５】
図４は、実施形態に係るピンの一例を示す図である。図４に示すように、ピン４は、発光部４１、胴体部４２及び集光部４３とを備えている。集光部４３は、光源からの光を集光する。胴体部４２は、集光部４３により集光された光を発光部４１へと伝播する。発光部４１は、伝播されてきた光を外部へと放出する。ピンに付与される色（光のフィルタ）は、少なくともこの発光部４１に付与される。なお、説明の便宜上、胴体部４２の長さをＬ１とし、胴体部４２の直径をφ１とする。
【００４６】
図５は、実施形態に係るピンとパネル部３との関係（ピン挿入前）を示す断面図である。上部パネル２４に設けられている貫通孔５２の径をφ２とする。下部パネル２２に設けられている貫通孔５１の径をφ３とする。また、シートの厚みをｔとする。
【００４７】
ここで、ピン４が貫通孔５１、５２を貫通するためには、少なくとも次式が成立しなければならない。
【００４８】
φ１＜φ２＜φ３
上述したように、ピン４の断面のうち、貫通孔５１、５２に嵌合する部分（胴体部４２）の径はφ１である。図５から明らかなように、ピン４をパネル部３に挿す前は、シート２３によって貫通孔５１が覆われているため、筐体２の内部に設けられた光源からの光が外部に透過し難くなる。
【００４９】
図６は、実施形態に係るピンとパネル部３との関係（ピン挿入後）を示す断面図である。ピン４が貫通孔５２を通過し、シート２３を突き破ると、それまで貫通孔５１を覆っていたシート２３の一部６１が下方に折れ曲がる。シート２３の一部６１は、ピン４の胴体部４２とともに貫通孔５１に嵌合することになる。
【００５０】
ここで、各孔の径φ２、φ３、シート２３の厚みｔ、及び、ピン４の径φ１とには、次式が成り立つことが望ましいことを見出した。
【００５１】
２ｔ  ≦  （φ３−φ１）  ≦  ５ｔ
この理由を以下で説明する。
【００５２】
実施形態に係る光創作玩具１は、パネル部３にピン４を挿し終えて作品が完成したときにパネル部３ごと取り外して保管することが想定されている。よって、パネル部３の表面（ピンの挿される側）が下方（鉛直方向）や少なくとも斜め方向にされたときにピン４が自重で抜け落ちることは防止されることが望ましい。また、ピン４を孔に差し込んだときに、ピン４のがたつきは小さいことが望ましい。さらに、ピン４を挿し直したとしても、ピン４をパネル部３に保持するための保持力は、何回か抜き差ししたとしても維持されることが望ましい。また、ピンを打ち込むときに必要となる打ち込み力（指先に加わる力）が好適となることが好ましい。さらに、ピンを打ち込むときの打ち応え（シートを破るときの感触）が好適であることが望ましい。パネルを射出成型したときの孔の精度誤差を許容できることが望ましい。
【００５３】
図７は、孔のサイズについての特性を評価するための実験結果を示した図である。この実験において、ピンの径φ１を2.8mmとし、シートの厚みｔを0.087mmとしている。なお、上部パネル２４と下部パネル２２はＡＢＳ樹脂製で厚みがそれぞれ3.0mmであった。上部パネル２４と下部パネル２２の各貫通孔の径を3.0mmないし3.5mmで変化させたときに上記の特性を図７にまとめた。その結果、φ２＝3.0mmで、φ３＝φ3.2mmとしたときに、適合性が最大となった。ここで、適合性が１０点以上で、かつ、０点となった評価項目がある径を除外すると、図７においてφ２＝3.2mm以下でφ３＝3.3mm以下が合格となる。ここで、φ３−φ１の関係で説明すると、合格したものは以下の関係を有することがわかる。
【００５４】
0.2mm  ≦  φ３−φ１  ≦  0.50mm
ここで、ｔ≒0.10mmであったことを考慮すると、
２ｔ  ≦  （φ３−φ１）  ≦  ５ｔ
が得られる。また、（φ２−φ１）≦0.20mmであれば十分である。
【００５５】
図８は、実施形態に係る筐体の内部構成の一例を示した図である。筐体２は、側面８１、側面８２、側面８３及び側面８４に囲まれており、さらに底面（一種の側面）８０を有している。本実施形態では筐体２の水平方向における断面が略四角形のため４つの側面を有しているが、水平断面が三角形であれば、３つの側面となるし、５角形であれば５つの側面となる。なお、水平断面が円形であれば、無限の数の側面（結果として１つの側面）となろう。光源の数をできるだけ少なくしつつ、光のムラを低減できることが望ましい。
【００５６】
そこで、本実施形態では、側面８１にのみ複数のＬＥＤを配置している。ちなみに、図８には、７つのＬＥＤ８５ａないしＬＥＤ８５ｇが示されている。ただし、他の側面にもＬＥＤが配置されてもよい。要するに、どの側面にどれだけの数のＬＥＤを配置するかは、コストと光ムラとを考慮して決定されればよい。
【００５７】
側面８１に配置されたＬＥＤ８５ａないしＬＥＤ８５ｇの光の照射方向（光強度が最大となる方向）は図８の左から右への方向となる。しかし、貫通孔５１、５２の方向は、この光の照射方向と概ね直交している。よって、何らかの偏向板を設けて光を偏向することが必要となる。
【００５８】
図８によれば、底面８０と平行に平行偏向部材８６が配置されている。さらに、底面８０に対して傾斜している傾斜偏向部材８７が設けられている。平行偏向部材８６や傾斜偏向部材８７は、光を拡散又は反射する性質を有した素材が使用されることが望ましい。
【００５９】
さらに、パネル部３は可撓性のある素材で形成され、しかもパネル表面の面積に対して厚みが薄いため、筐体２に搭載したときに撓みやすい。とくに、ピン４を挿すときにパネル部３が撓むと、挿し心地が低下しやすい。そこで、パネル部３を下面から支持する支持部材を設けることが好ましい。図８によれば、支持部材８８ａと８８ｂとが設けられている。支持部材の一端は、少なくとも３つある側面のうちの第１の側面（ここでは側面８１）に取り付けられている。また、支持部材の他端は、第１の側面に対向する第２の側面（ここでは、側面８３）に取り付けられている。なお、これらの支持部材の両端又は片端が底面８０に取り付けられていてもよい。
【００６０】
ここで、支持部材８８ａと８８ｂがＬＥＤからの光を遮蔽して影を作ることは、光のムラを招くおそれがある。これを抑制するには、図８に示すように、光の照射方向と支持部材が延在する方向（パネル部３に支持部材を射影したときにできる直線の方向）とが平行になることが望ましい。また、パネル部３に支持部材を射影したときにできる直線（影）は、貫通孔の上に位置しないことが望ましい。なお、複数の光源を配置すれば、影が目立ち難くなる。１つの光源による影は、他の光源からの光によって緩和されるからである。
【００６１】
図９は、実施形態に係る筐体２の垂直断面図である。断面の切り取り線は、図８に示したＡ−Ａ’である。支持部材８８ｂは、湾曲しており、パネル部３の下面を中央付近で支持する。支持部材８８ｂが湾曲しているのは、棒状の支持部材の弾性力によってパネル部３の中央付近の撓みを抑制しやすくなるからである。すなわち、パネル部３は、フレームの４辺で基本的に支持されるため、中央付近が撓みやすいのである。なお、支持部材８８ａも支持部材８８ｂと同様に設けられている。
【００６２】
図９によれば、平行偏向部材８６は、ＬＥＤから所定距離以上離れた位置に設けられており、ＬＥＤの近傍には設けられていない。すなわち、底面８０のうちＬＥＤに近い部分が露出した露出領域９１が設けられている。露出領域９１の反射率は偏向板の反射率よりも小さくする。一般に光は距離に反比例して減衰するため、ＬＥＤに近い部分に設けられた貫通孔には、遠い部分に設けられた貫通孔よりも強い光が到達する。仮に、露出領域９１も平行偏向部材８６で覆ってしまうと、ＬＥＤに近い部分に設けられた貫通孔から漏れる光が、遠い部分に設けられた貫通孔から漏れる光よりも明るくなってしまい、いわゆる光のムラが発生してしまう。よって、本実施形態では、底面８０のうち、ＬＥＤに近い部分の反射率を、遠い部分の反射率よりも低下させている。
【００６３】
同様の理由から、傾斜偏向部材８７が設けられている。傾斜偏向部材８７は、光源が配置された側面８１から遠ざかるにしたがって底面８０から離間して下部パネルに近づくように配置されている。傾斜偏向部材８７の勾配は光源からの距離に比例していてもよいが、より高次の関数によって近似できるような湾曲した勾配であってもよい。これにより、光のムラを低減できる。
【００６４】
なお、光源としては、ＬＥＤを採用することが望ましい。ＬＥＤは白熱球と比較し、電力消費が小さく、また、発熱量も小さい。さらに、ＬＥＤは白熱球と比較し小型化しやすい。よって、筐体２を絵画の額のように薄形の形状にするには、好ましい光源である。家の壁に完成した作品を飾るには、絵画の額のように軽量で薄型でなければ飾りにくい。また、電源コードがあると、やはり作品を飾りにくいし、美感を損ねる。よって、筐体２に電池を内蔵できる程度の光源であることは重要である。
【００６５】
なお、底面８０と傾斜偏向部材８７との間には、垂直断面が略三角形のスペースが生じる。このスペースに必要な電子回路基板や電池を収納すれば、これらが貫通孔に対して影を作ることもなく、好ましいだろう。
【００６６】
図１０は、実施形態に係る制御部の一例を示す図である。コントローラ１０１は、複数の光源（例：ＬＥＤ）の発光量を所定の規則にしたがって制御する光量制御部の一例である。発光量を制御するための規則は、規則格納メモリ１０２に記憶されている。コントローラ１０１は、モード選択スイッチ８が押し下げられるたびに、規則格納メモリ１０２から次の規則を読み出して光量制御を実行する。モード選択スイッチ８は、複数ある規則のうち所望の規則を選択するための選択部として機能する。規則としては、複数の光源をその並び順にしたがって順番に発光させる規則、複数の光源を同時に明滅させる規則と、複数の光源のそれぞれをランダムに明滅させる規則などがある。これらの規則は一例に過ぎない。
【００６７】
ドライバ回路１０３は、ＬＥＤ８５ａないし８５ｇをコントローラ１０１から出力される点灯命令に従って点灯させる。点灯命令には、各ＬＥＤ８５ａないし８５ｇの発光量を示すデータが含まれている。複数の光源をその並び順にしたがって順番に発光させる規則が適用されると、ＬＥＤ８５ａ＝＞ＬＥＤ８５ｂ＝＞・・・・ＬＥＤ８５ｆ＝＞ＬＥＤ８５ｇといった順番で点灯する。なお、隣り合った複数のＬＥＤが同時に点灯する期間があってもよい。ＬＥＤの点灯の仕方もＯＮ／ＯＦＦのような点灯の仕方であってもよいし、蛍の光のように徐々に明るくなって徐々に暗くなるような点灯の仕方であってもよい。複数の光源を同時に明滅させる規則が適用される場合も、これらの点灯の仕方のいずれかを採用できる。複数の光源のそれぞれをランダムに明滅させる規則が適用される場合、コントローラ１０１は、乱数を発生し、発生した値に対応するＬＥＤを点灯させる。なお、その際の点灯時間や点灯の仕方もコントローラ１２がランダムに決定してもよい。また、前述のように、スピード切換スイッチを設けて、明滅させるスピードを変化させるようにしても良い。
【図面の簡単な説明】
【００６８】
【図１】実施形態に係る光創作玩具の斜視図である。
【図２】実施形態に係る光創作玩具の分解斜視図である。
【図３】実施形態に係る上部パネルの下に配置されたシートの一例を示した図である。
【図４】実施形態に係るピンの一例を示す図である。
【図５】実施形態に係るピンとパネル部３との関係（ピン挿入前）を示す断面図である。
【図６】実施形態に係るピンとパネル部３との関係（ピン挿入後）を示す断面図である。
【図７】孔のサイズについての特性を評価するための実験結果を示した図である。
【図８】実施形態に係る筐体の内部構成の一例を示した図である。
【図９】実施形態に係る筐体２の垂直断面図である。
【図１０】実施形態に係る制御部の一例を示す図である。
【図１】
0003140861.tif 000003
【図４】
0003140861.tif 000004
【図５】
0003140861.tif 000005
【図６】
0003140861.tif 000006
【図７】
0003140861.tif 000007
【図８】
0003140861.tif 000008
【図９】
0003140861.tif 000009
【図１０】
0003140861.tif 000010
【図２】
0003140861.tif 000011
【図３】
0003140861.tif 000012